(57)【要約】      （修正有）【課題】レボルビング機構の耐久性を高めたレンズ鏡筒を提供する。【解決手段】レンズ装置１００は、三脚座２２と、三脚座２２に対して光軸回りに回転可能に支持された筒状部材１２と、三脚座２２に収容されたローラー２５と、ローラー２５を回転可能に保持するローラー保持部材２６と、ローラー保持部材２６を介してローラー２５を筒状部材１２に向けて付勢する付勢部材２７とを有し、ローラー２５は、転がり軸受２５ｂと、転がり軸受２５ｂと嵌合する軸部材２５ａとを有する。【選択図】図１
2019101313.tif 000002
【特許請求の範囲】
【請求項１】
三脚座と、
前記三脚座に対して光軸回りに回転可能に支持された筒状部材と、
前記三脚座に収容されたローラーと、
前記ローラーを回転可能に保持するローラー保持部材と、
前記ローラー保持部材を介して前記ローラーを前記筒状部材に向けて付勢する付勢部材と、を有し、
前記ローラーは、転がり軸受と、前記転がり軸受と嵌合する軸部材とを有する
ことを特徴とするレンズ装置。
【請求項２】
前記転がり軸受は前記筒状部材に接し、前記軸部材は前記ローラー保持部材に接している
ことを特徴とする請求項１に記載のレンズ装置。
【請求項３】
前記付勢部材の付勢力は、前記軸部材と前記ローラー保持部材の当接部、前記軸部材と前記転がり軸受の内輪、前記転がり軸受の外輪と前記筒状部材のそれぞれの間で働いている
ことを特徴とする請求項２に記載のレンズ装置。
【請求項４】
前記転がり軸受は前記ローラー保持部材に接し、前記軸部材は前記筒状部材に接している
ことを特徴とする請求項１に記載のレンズ装置。
【請求項５】
前記付勢部材の付勢力は、前記転がり軸受の外輪と前記ローラー保持部材の当接部、前記転がり軸受の内輪と前記軸部材、および、前記軸部材と前記筒状部材のそれぞれの間で働いている
ことを特徴とする請求項４に記載のレンズ装置。
【請求項６】
前記ローラー保持部材は、レンズの光軸を含む断面において、Ｈ字形状を有する
ことを特徴とする請求項１乃至３のいずれか１項に記載のレンズ装置。
【請求項７】
前記ローラー保持部材には、第１の凹部と第２の凹部とが形成されており、
前記転がり軸受の少なくとも一部は、前記第１の凹部の内部に配置され、
前記付勢部材の少なくとも一部は、前記第２の凹部の内部に配置されている
ことを特徴とする請求項６に記載のレンズ装置。
【請求項８】
前記筒状部材には、前記ローラーが転動する面に複数の凹部が形成されている
ことを特徴とする請求項１乃至７のいずれか１項に記載のレンズ装置。
【請求項９】
前記ローラー保持部材を前記付勢部材の付勢方向に対応する方向に進退可能にガイドするガイド部材を更に有する
ことを特徴とする請求項１乃至８のいずれか１項に記載のレンズ装置。
【請求項１０】
前記付勢部材に当接する押え板を更に有し、
前記ガイド部材および前記押え板は、ねじで共締めされ固定されている
ことを特徴とする請求項９に記載のレンズ装置。
【請求項１１】
請求項１乃至１０のいずれか１項に記載のレンズ装置と、
前記レンズ装置を介して形成された光学像を光電変換する撮像素子を保持するカメラ本体と、を有する
ことを特徴とする撮像装置。
【発明の詳細な説明】
【技術分野】
【０００１】
本発明は、三脚座を備えたレンズ装置および撮像装置に関する。
【背景技術】
【０００２】
従来、鏡筒を光学系の光軸回りに回転させるレボルビング機構を有するレンズ装置が知られている。例えば、三脚座を備えたレンズ装置では、三脚に三脚座を固定した状態で光軸回りにカメラと共にレンズを回転させることにより、縦横の構図を簡便に変更することが可能である。
【０００３】
レボルビング機構は、特定の回転位相ごとにクリック感が得られる箇所（以降、単にクリックと呼ぶ）を設け、ユーザがクリックの感触によりレンズの回転位置を認識させるように構成することで実現される。特に三脚座を備えたレンズ装置では、レンズ装置を三脚に水平に取付けた場合の重力方向にクリック部を設け、更に９０°位相ごとにクリックを設けることが多い。クリックは一般的にレンズ本体側に凹溝を設け、更に三脚座など固定部側に付勢部材で押圧されたボール、ピン、またはローラー等を凹溝に対し付勢することにより、クリック感が得られるように構成されている。
【０００４】
特許文献１には、レボルビングの際のクリック位置を調整することが可能なレンズ装置が開示されている。
【先行技術文献】
【特許文献】
【０００５】
【特許文献１】特開２０１２−４７８９８号公報
【発明の概要】
【発明が解決しようとする課題】
【０００６】
特許文献１にて開示されたレンズ装置では、三脚座ユニットに支持されたローラーはレンズ装置本体に対して付勢バネにより付勢されており、ローラーの外周面はレンズ装置本体とワッシャ部材と接している。したがって、付勢バネの付勢力によっては、レンズ装置本体を三脚座ユニットに対して回転（レボルビング）させた際にローラーがレンズ装置本体に対して回転せずに摺動してしまう。ローラーがレンズ装置本体に対して摺動すると、レンズ装置本体のローラーとの接触部に施した潤滑塗装や接触している部品そのものが摩耗し易くなる。繰り返しレボルビングすることにより、摩耗により生じた摩耗粉や、また潤滑塗装が剥がれることによりレボルビングした際の味やトルク等の操作性が劣化する可能性がある。
【０００７】
そこで本発明は、レボルビング機構の耐久性を高めたレンズ装置および撮像装置を提供することを目的とする。
【課題を解決するための手段】
【０００８】
本発明の一側面としてのレンズ装置は、三脚座と、前記三脚座に対して光軸回りに回転可能に支持された筒状部材と、前記三脚座に収容されたローラーと、前記ローラーを回転可能に保持するローラー保持部材と、前記ローラー保持部材を介して前記ローラーを前記筒状部材に向けて付勢する付勢部材とを有し、前記ローラーは、転がり軸受と、前記転がり軸受と嵌合する軸部材とを有する。
【０００９】
本発明の他の側面としての撮像装置は、前記レンズ装置と、前記レンズ装置を介して形成された光学像を光電変換する撮像素子とを有する。
【００１０】
本発明の他の目的及び特徴は、以下の実施形態において説明される。
【発明の効果】
【００１１】
本発明によれば、レボルビング機構の耐久性を高めたレンズ鏡筒および撮像装置を提供することができる。
【図面の簡単な説明】
【００１２】
【図１】第１実施形態におけるレンズ装置の要部断面図である。
【図２】第１実施形態におけるレンズ装置の分解斜視図である。
【図３】第２実施形態におけるレンズ装置の要部断面図である。
【図４】第３実施形態における撮像装置の構成図である。
【発明を実施するための形態】
【００１３】
以下、本発明の実施形態について、図面を参照しながら詳細に説明する。
【００１４】
（第１実施形態）
まず、図２を参照して、本発明の第１実施形態におけるレンズ装置（レンズ鏡筒）について説明する。図２は、レンズ装置１００の分解斜視図である。レンズ装置１００は、撮像装置本体に着脱可能な交換レンズである。
【００１５】
レンズ装置１００は、光学系（レンズ）を保持する鏡筒本体１０と、鏡筒本体１０をカメラ（撮像装置本体、カメラ本体）と一体的に定位置回転可能に支持する三脚座ユニット２０とを備えて構成される。鏡筒本体１０は、レンズ装置１００をカメラに対して着脱可能に取り付けるためのマウント部材１１を有する。マウント部材１１は、三脚座２２に対して光軸ＯＡの回り（光軸回り）に回転可能に支持された外装環（筒状部材）１２にねじ等により固定される。
【００１６】
三脚座ユニット２０は、三脚座リングユニット２１と、三脚ねじと螺合するねじ部２２ａ（図１（ａ）参照）を有する三脚座２２とを備えて構成される。三脚座リングユニット２１は、外装環１２との径嵌合部を備えた三脚座リング２３と、三脚座リング２３に取付けられるロックつまみ２４とを有する。三脚座リング２３は、ローラー収容部２３ａを有する。ローラー収容部２３ａには、ローラー２５、ローラー保持部材２６、付勢部材２７、ガイド部材２８、および、押え板２９が収容される（図１（ｂ）参照）。なお、この詳細については後述する。
【００１７】
鏡筒本体１０に三脚座ユニット２０を組み込む際には、まず、三脚座リングユニット２１を鏡筒本体１０の後ろ側（像側）から挿入し、所定の位置で三脚座リング２３の穴部２３ｂ（図１（ｂ）参照）からコロ１３を通す。コロ１３は、外装環１２にネジにより固定される。コロ１３は少なくとも３つ以上設けられており、三脚座リングユニット２１を回転させ所定の位相で組み込まれ、外装環１２に固定される。三脚座リング２３にはコロ１３との係合溝２３ｃが形成されており、係合溝２３ｃにより三脚座リングユニット２１の光軸方向の位置が決定する。続いて、三脚座リングユニット２１に三脚座２２をねじ３０で固定する。これにより、鏡筒本体１０に対する三脚座ユニット２０の組み込みが完了する。
【００１８】
三脚座２２のねじ部２２ａを三脚ねじに固定すると、鏡筒本体１０は三脚座ユニット２０に対して定位置での回転が可能となる。これにより、カメラをレボルビングさせながら撮影が可能となる。また、前述のロックつまみ２４を締め込むことにより、鏡筒本体１０と三脚座ユニット２０との相対回転を抑制することが可能となる。
【００１９】
次に、図１を参照して、三脚座リング２３のローラー収容部２３ａについて説明する。図１（ａ）はレンズ装置１００の要部断面図であり、図１（ｂ）は図１（ａ）中の領域Ａの拡大図である。図１（ｂ）に示されるように、ローラー２５は、軸部材２５ａ、転がり軸受２５ｂ、および、スペーサー２５ｃを備えて構成されている。軸部材２５ａは、ローラー保持部材２６の溝部２６ａに係合している。ローラー保持部材２６は、付勢部材２７に当接し、その付勢力によりローラー２５を外装環１２に向けて付勢する。ローラー保持部材２６は、ガイド部材２８と係合し、付勢部材２７の付勢方向に対応する方向（図１（ｂ）の上下方向）に進退可能にガイドされる。また付勢部材２７は、押え板２９にも当接し、押え板２９およびガイド部材２８を三脚座リング２３にねじ３１で共締めすることで固定される。これにより、三脚座リング２３のローラー収容部２３ａにローラー２５が収容される。
【００２０】
ローラー２５の軸部材２５ａは、転がり軸受２５ｂの内輪と嵌合するとともにローラー保持部材２６の当接部２６ｂに当接し、付勢部材２７の付勢力を受ける。また、ローラー２５の転がり軸受２５ｂの外輪は、付勢部材２７の付勢力を受けて外装環１２に付勢されている。すなわち付勢部材２７の付勢力は、軸部材２５ａとローラー保持部材２６の当接部２６ｂ、軸部材２５ａと転がり軸受２５ｂの内輪、転がり軸受２５ｂの外輪と外装環１２のそれぞれの間で働いている。
【００２１】
この状態で三脚座ユニット２０に対して鏡筒本体１０を回転させると、ローラー２５の軸部材２５ａをローラー保持部材２６で受け、かつ転がり軸受２５ｂを採用しているため、転がり軸受２５ｂの外輪に働く摩擦力は小さくなる。したがって、転がり軸受２５ｂの外輪は、外装環１２に対して滑ることなく、確実に回転する。これにより、外装環とローラーとの間における滑りによる摩耗粉の発生を抑制することが可能となる。このため、レボルビングの耐久性を高めたレンズ装置を提供することができる。
【００２２】
また、外装環１２のローラー２５との転動面１２ａには、複数の凹部１２ｂが設けられている。三脚座ユニット２０に対して鏡筒本体１０を回転させた際にローラー２５が凹部１２ｂに落ち込み、凹部１２ｂの面取り部に付勢され当接することで、ユーザはクリック感を得ることができる。例えば凹部１２ｂは、三脚座ユニット２０に対してカメラ（すなわち鏡筒本体１０）が水平になった際にクリック感を得る位相と、またその位相から９０度ずれた位相に設けられている。これにより、ユーザは通常状態の撮影といわゆる縦位置撮影とを容易に切り替えることができる。
【００２３】
また本実施形態では、付勢部材２７の付勢力を軸部材２５ａの両端とローラー保持部材２６とで受けている。このため、ローラー２５が凹部１２ｂに落ち込む際に、ローラー２５の軸が倒れた状態で凹部１２ｂの面取り部に接触することが抑制される。したがって、ローラー２５と凹部１２ｂの面取り部との接触面には均一に荷重が加わるため、接触面の摩耗を抑制することが可能となる。
【００２４】
また本実施形態では、ローラー保持部材２６は、レンズの光軸ＯＡを含む断面（図１（ｂ）に示される断面）において、Ｈ字形状を有する。また、ローラー保持部材２６には第１の凹部２６ｃと第２の凹部２６ｄとが形成されており、転がり軸受２５ｂの少なくとも一部は、第１の凹部２６ｃの内部に配置され、付勢部材２７の少なくとも一部は、第２の凹部２６ｄの内部に配置されている。このような構成により、ローラー保持部材２６とローラー保持部材２６を図１（ｂ）中の上下方向に沿ってガイドするガイド部材２８との接触面積を増加させつつ、三脚座リング２３の（上下方向のサイズ）の小型化を図ることができる。
【００２５】
（第２実施形態）
次に、図３を参照して、本発明の第２実施形態におけるレンズ装置（レンズ鏡筒）について説明する。図３は、本実施形態におけるレンズ装置の要部断面図である。
【００２６】
第１実施形態のレンズ装置は、ローラー２５の軸部材２５ａがローラー保持部材２６と係合し、外装環１２に対して転がり軸受２５ｂが転動するように構成されている。一方、本実施形態のレンズ装置は、ローラー３２の転がり軸受３２ｂがローラー保持部材２６と係合し、外装環１２に対してローラー本体３２ａが転動するように構成されている。なお本実施形態において、第１実施形態と共通する機能または役割を有する部材には、第１実施形態と同符号を付しそれらの説明を省略する。
【００２７】
図３は、外装環１２と三脚座リング２３のローラー収容部２３ａの近傍の断面図であり、第１実施形態と同様に、ローラー収容部２３ａにはローラー３２、ローラー保持部材２６、付勢部材２７、ガイド部材２８、および、押え板２９が収容されている。ローラー３２は、ローラー本体としての軸部材３２ａと転がり軸受３２ｂとを備えて構成されており、軸部材３２ａの両端（ローラー本体の両端の軸部）と転がり軸受３２ｂの内輪とが嵌合している。転がり軸受３２ｂの外輪は、ローラー保持部材２６の溝部２６ａと係合するとともにローラー保持部材２６の当接部２６ｂに当接し、付勢部材２７による付勢力を受ける。したがって、付勢部材２７の付勢力は、転がり軸受３２ｂの外輪とローラー保持部材２６の当接部２６ｂ、転がり軸受３２ｂの内輪と軸部材３２ａ、および、軸部材３２ａと外装環１２のそれぞれの間で働いている。
【００２８】
この状態で三脚座ユニット２０に対して鏡筒本体１０を回転させると、ローラー３２の転がり軸受３２ｂをローラー保持部材２６で受け、転がり軸受３２ｂの内輪とローラー本体３２ａの両端の軸部とが嵌合しているため、ローラー本体３２ａに働く摩擦力は小さい。したがって、ローラー本体３２ａは、外装環１２に対して滑ることなく、確実に回転する。これにより、第１実施形態と同様に、外装環とローラーとの間における滑りによる摩耗粉の発生を抑制することが可能となる。このため、レボルビングの耐久性を高めたレンズ鏡筒を提供することができる。
【００２９】
（第３実施形態）
次に、図４を参照して、本発明の第３実施形態における撮像装置について説明する。図４は、撮像装置２００（一眼レフカメラ）の構成図である。図４において、レンズ装置１００（交換レンズ）は、撮像光学系１（レンズユニット）を有する。カメラボディ１２０（撮像装置本体）は、クイックリターンミラー３、焦点板４、ペンタダハプリズム５、および、接眼レンズ６などを備えて構成されている。クイックリターンミラー３は、撮像光学系１を介して形成された光束を上方に反射する。焦点板４は、撮像光学系１の像形成位置に配置されている。ペンタダハプリズム５は、焦点板４に形成された逆像を正立像に変換する。ユーザは、その正立像を、接眼レンズ６を介して観察することができる。
【００３０】
撮像素子７は、ＣＣＤセンサやＣＭＯＳセンサを備え、撮像光学系１を介して形成された光学像（被写体像）を光電変換して画像データを出力する。撮影時には、クイックリターンミラー３が光路から退避して、撮像光学系１を介して撮像素子７上に光学像が形成される。制御部１１０は、ＣＰＵを有し、撮像装置２００の各部の動作を制御する。
【００３１】
なお撮像装置２００は、撮像素子７を有するカメラボディ１２０と、カメラボディ１２０に着脱可能に取り付けられたレンズ装置１００とにより構成されているが、これに限定されるものはない。カメラボディとレンズ装置とが一体的に構成された撮像装置であってもよいし、クイックリターンミラーのないミラーレスの一眼レフカメラ（ミラーレスカメラ）であってもよい。
【００３２】
各実施形態によれば、レボルビング機構の耐久性を高めたレンズ鏡筒および撮像装置を提供することができる。
【００３３】
以上、本発明の好ましい実施形態について説明したが、本発明はこれらの実施形態に限定されず、その要旨の範囲内で種々の変形及び変更が可能である。
【符号の説明】
【００３４】
１００  レンズ装置
１２  外装環（筒状部材）
２２  三脚座
２５  ローラー
２５ａ  軸部材
２５ｂ  転がり軸受
２６  ローラー保持部材
２７  付勢部材
【図１】
2019101313.tif 000003
【図２】
2019101313.tif 000004
【図３】
2019101313.tif 000005
【図４】
2019101313.tif 000006